(57)【要約】【課題】水道水などの水を浄化改質して供給するウオーターサーバーであって、分解や清掃といったメンテナンスを容易に行うことができるようにする。【解決手段】ケーシング１１と、水を収納するタンク１２と、貯溜部１５とを備える。タンク１２は、上部タンク１３と下部タンク１４を備え、下部タンク１４には濾過改質部３４が設けられている。貯溜部１５は、第１貯溜部１６と第２貯溜部１７とを備え、冷却装置５１と加温装置５７が夫々設けられている。下部タンク１４の底部４２には流出口４５を備え、流出口４５は弁４６によって開閉する。この弁４６を作動させるフロート４８が、第１貯溜部１６の大開口５３から、第１貯溜部１６内に挿入されて、その水量に応じて昇降し、弁４６の開閉を行なう。第１貯溜部１６内の水は、冷却水としてコック１８から吐出されると共に、流出管５４から第２貯溜部１７を経て温水としてコック１８から吐出される。【選択図】図２
0003174445.tif 000002
【実用新案登録請求の範囲】
【請求項１】
ケーシングと、水を収納するタンクと、前記ケーシング内に配置された貯溜部とを備えたウオーターサーバーにおいて、
前記ケーシングの上に、着脱可能に前記タンクが載置され、
前記タンクは、内部に濾過改質部を備え、前記タンク内に供給される水の浄化と改質との少なくとも何れか一方を行なった状態で、前記貯溜部に水を供給するものであり、
前記貯溜部には、加温装置と冷却装置との少なくとも何れか一方の装置が備えられることによって、濾過改質済の水を加温冷却して提供するようにしたことを特徴とするウオーターサーバー。
【請求項２】
前記タンクは、下部タンクと、前記下部タンクに着脱可能に載置された上部タンクとを備え、
前記上部タンクは、給水口を排出口とを有しており、前記給水口から前記上部タンク内に水を入れることができ、前記排出口から前記水を前記下部タンクに供給するものであり、
前記下部タンクは、開口部を有すると共に下部タンクの本体と着脱可能に設けられた天部と、前記開口部の下方に配置された前記濾過改質部とを備え、
前記天部は前記上部タンクを支持するものであり、
前記上部タンクの前記排出口からの前記水が前記開口部を通って、前記下部タンク内に供給されるものであることを特徴とする請求項１記載のウオーターサーバー。
【請求項３】
前記下部タンクの底部には、流出口と、前記流出口を開閉する弁と、前記弁を作動させるフロートとが設けられ、
前記フロートは、前記貯溜部の水位に応じて昇降することによって、前記弁を開閉するものであることを特徴とする請求項２記載のウオーターサーバー。
【請求項４】
前記貯溜部は、前記流出口からの水を受ける第１貯溜部と、前記第１貯溜部に接続された第２貯溜部とを備え、
前記第１貯溜部には冷却装置が設けられ、前記第２貯溜部には加温装置が設けられていることを特徴とする請求項３記載のウオーターサーバー。
【請求項５】
前記第１貯溜部は、直径１５cm以上の大開口が形成された天部を有しており、
前記ケーシングに前記下部タンクの底部が着脱可能に載置され、前記流出口と前記大開口とが合致し、
前記大開口から、前記フロートが通されて前記第１貯溜部内の水面に配置され、且つ、清掃時の人の手を前記第１貯溜部内に入れることができることを特徴とする請求項４記載のウオーターサーバー。
【考案の詳細な説明】
【技術分野】
【０００１】
本考案は、ウオーターサーバーに関するものである。
【背景技術】
【０００２】
従来より、水道水を飲みやすい形態で供給するウオーターサーバーは、特許文献１に示すように種々提案されており、特許文献２のように、フィルターを備えることで水道水をさらに浄化して供給するようにしたものも知られている。ところが、これらのウオーターサーバーは、比較的複雑な構造で、分解や清掃といったメンテナンスが困難で、専門的知識と技能を有する者のみが行えるものであった。
【先行技術文献】
【特許文献】
【０００３】
【特許文献１】特開２００７−２５４０２２ 号公報
【特許文献２】特開平９−１０３７８１号公報
【考案の概要】
【考案が解決しようとする課題】
【０００４】
本考案の目的は、水道水などの種々の水を浄化改質して供給するウオーターサーバーであって、分解や清掃といったメンテナンスを容易に行うことができようにすることにある。
【課題を解決するための手段】
【０００５】
本考案は、ケーシングと、水を収納するタンクと、前記ケーシング内に配置された貯溜部とを備えたウオーターサーバーにおいて、前記ケーシングの上に、着脱可能に前記タンクが載置され、前記タンクは、内部に濾過改質部を備え、前記タンク内に供給される水の浄化と改質との少なくとも何れか一方を行なった状態で、前記貯溜部に水を供給するものであり、前記貯溜部には、加温装置と冷却装置との少なくとも何れか一方の装置が備えられることによって、濾過改質済の水を加温冷却して提供するようにしたことを特徴とするウオーターサーバーを提供する。
前記タンクは、下部タンクと、前記下部タンクに着脱可能に載置された上部タンクとを備える。前記上部タンクは、給水口を排出口とを有しており、前記給水口から前記上部タンク内に水を入れることができ、前記排出口から前記水を下部タンクに供給する。前記下部タンクは、開口部を有すると共に下部タンクの本体と着脱可能に設けられた天部と、前記開口部の下方に配置された濾過改質部とを備え、前記天部は前記上部タンクを支持するものであり、前記上部タンクの前記排出口からの水が前記開口部を通って、前記下部タンク内に供給されるものとして実施することができる。
また、前記下部タンクの底部には、流出口と、前記流出口を開閉する弁と、前記弁を作動させるフロートとが設けられ、前記フロートは、前記貯溜部の水位に応じて昇降することによって、前記弁を開閉するものとすることもできる。
また、前記貯溜部は、前記流出口からの水を受ける第１貯溜部と、第１貯溜部に接続された第２貯溜部とを備え、前記第１貯溜部には冷却装置が設けられ、前記第２貯溜部には加温装置が設けられているものとして実施することができる。
さらに、前記第１貯溜部は、直径１５cm以上の大開口が形成された天部を有しており、前記ケーシングに前記下部タンクの底部が着脱可能に載置され、前記流出口と前記大開口とが合致し、前記大開口から、前記フロートが通されて前記第１貯溜部内の水面に配置され、且つ、清掃時の人の手を前記第１貯溜部内に入れることができるものとすることもできる。
【考案の効果】
【０００６】
本考案は、水道水などの種々の水を浄化改質して供給するウオーターサーバーであって、分解や清掃といったメンテナンスを容易に行うことができるウオーターサーバーを提供することができたものである。前記タンクを、上部タンクと下部タンクとに分離することによって、上部タンクにて外部からの水を供給し、下部タンクにて、その水を改質濾過することができるもので、万が一、外部から劣悪な水質の水が供給されても、上部タンクにて受けられることによって、下部タンクの濾過改質部分が、その水によって汚染されることを防止し得る。そして、各タンクとケーシングとが着脱可能に載置されているため、簡単に取り外し分解を行なうことが可能である。
下部タンクの底部には、流出口と、前記流出口を開閉する弁と、前記弁を作動させるフロートとが設けられ、前記フロートは、前記貯溜部の水位に応じて昇降することによって、前記弁を開閉するものであり、第１貯溜部に設けられた直径１５cm以上の大開口から、フロートが通されて前記第１貯溜部内の水面に配置され、且つ、清掃時の人の手を前記第１貯溜部内に入れることができるものとすることで、第１貯溜部を含めて、簡単に清掃などを行なうことができる。
【図面の簡単な説明】
【０００７】
【図１】本考案の実施の形態に係るウオーターサーバーの外観図。
【図２】同ウオーターサーバーの分解説明図。
【図３】同ウオーターサーバーの組立説明図。
【考案を実施するための形態】
【０００８】
以下、図面に基づき本考案の実施の形態を説明する。
（全体説明）図１〜図３に示すウオーターサーバーは、ケーシング１１と、水を収納するタンク１２と、ケーシング１１内に配置された貯溜部１５とを備える。
タンク１２は、ケーシング１１の上に載置されたもので、ケーシング１１の天部上に着脱可能に載置された下部タンク１４と、下部タンク１４の上に着脱可能に載置された上部タンク１３とを備える。
【０００９】
第１貯溜部１６には冷却装置５１が設けられ、第２貯溜部１７には加温装置５７が設けられており、これらによって冷却、加温された水が、それぞれに接続された注水コック１８から吐出される。吐出された水は、コップ受け１９の上に置かれるコップ（図示せず）等に注がれる。
【００１０】
（上部タンク１３）上部タンク１３は、天部の開口した有底筒状をなしている。この天部開口は大きく開口した給水口２２となっており、常時は蓋２１で閉ざされ、給水時に蓋２１を外して、水を上部タンク１３内に注ぎ込む。この水は、ミネラルウオーターなどであってもよいが、水道水であっても、後述の濾過改質部分で改質されるため、美味しい水を注水コック１８から吐出することができる。底部２３には、フィルター２４が配置されている。フィルター２４は、ドーム型をなした多孔質のセラミックフィルターが用いられており、その底部には排出口２５が下方に突出している。排出口２５は、その外周にオネジが設けられ、上部タンク１３の底部２３の小開口から下方に突出させられ、上部タンク１３の底部２３の下方から、ナット２６で取り外し可能に固定されている。上部タンク１３に注がれた水は、フィルター２４のセラミックの微細孔を通って、排出口２５から下方へ流出することによって、不純物の吸着、除去、濾過による雑菌の浸透を防ぐ。
【００１１】
（下部タンク１４）下部タンク１４も上部タンク１３と同様、天部３１の開口した有底筒状をなす。天部３１の開口は蓋３２によって開閉可能に閉じられている。蓋３２は、その中央に開口部３３を有しており、この開口部３３に濾過改質部３４が着脱可能に取り付けている。詳しくは、濾過改質部３４は、円筒形の筒部３５と、筒部３５の上端に設けられたフランジ３６とを備える。このフランジ３６が開口部３３の周辺の蓋３２に着脱可能に載置される。
【００１２】
濾過改質部３４は、上端に網部３７が配置されており、網部３７から下方に向けて、第１濾過改質部３８、第２濾過改質部３９、第３濾過改質部４０、第４濾過改質部４１の各濾過改質部が設けられている。第１濾過改質部３８は活性炭、第２濾過改質部３９はゼオライト、第３濾過改質部４０はシリカサンド、第４濾過改質部４１は麦飯石が配置されている。活性炭は、水道水に含まれる塩素、トリハロメタン、重金属、臭いの除去に効果がある。ゼオライトは、イオン交換作用により、重金属、臭いの除去や、水を硬水から軟水に変える作用がある。シリカサンドは、細胞の水分補給や、毒素排泄効果により免疫効果の活性化を促す作用がある。麦飯石は、塩素、重金属、臭いの除去やミネラルの供給を行い、水をまろやかにする。
底部濾過改質部４３は、雑菌繁殖の抑制やミネラル成分の調整を行い、まろやかな水質保存を行なう。
筒部３５の下端には、流出口が設けられており、濾過改質された水は下端の開口から流出する。
【００１３】
下部タンク１４の底部４２上には、底部濾過改質部４３が載置されている。この底部濾過改質部４３は、内部に麦飯石が配置されているカートリッジであり、上部と側壁部とに水の導通穴が設けられ、これらの導通穴を通じて、水が導入導出される。この底部濾過改質部４３は、下部タンク１４の底部４２付近の水の雑菌繁殖の抑制やミネラル成分の調整を行い、まろやかな水質保存を行なう。底部濾過改質部４３の下端には複数の脚部４４が設けられており、底部４２に設けられた流出口４５の上方に底部濾過改質部４３が配置される。水は、脚部４４の間から、底部濾過改質部４３の下を通って、流出口４５から流出する。
【００１４】
（弁４６）この流出口４５は、弁４６によって開閉する。この開閉のために、弁４６に作動杆４７の基端が接続され、作動杆４７の先端にフロート４８が接続されている。このフロート４８は、次に述べる第１貯溜部１６の水位に応じて昇降する。詳しくは、第１貯溜部１６内の水位が下がると、フロート４８が下がって、弁４６を開き、下部タンク１４の水を第１貯溜部１６に供給する。第１貯溜部１６内の水位が上がると、フロート４８が上がって、弁４６を閉じて、第１貯溜部１６への水の供給を停止する。これによって、第１貯溜部１６内の水量は、一定の範囲内に保たれる。なお、後述するように、第１貯溜部１６の水はコック１８から注ぎ出されると共に、第２貯溜部１７は第１貯溜部１６に直列に接続されており、第２貯溜部１７の水が排出されると、その分の水が第１貯溜部１６から第２貯溜部１７へ供給される。従って、第１貯溜部１６の水位は、コック１８からの注ぎ出しと、第２貯溜部１７への供給との両方によって、減少する。
【００１５】
（貯溜部１５）先に述べたように、貯溜部１５は、第１貯溜部１６と第２貯溜部１７とによって構成されており、これらはケーシング１１内に配置されている。第１貯溜部１６は、冷却装置５１を備え、内部の水を冷却する。この第１貯溜部１６は、直径15cm以上の大開口５３が形成された天部５２を有している。この天部５２に、下部タンク１４の底部４２が着脱可能に載置されており、流出口４５と大開口５３とが合致する。大開口５３からは、前述のフロート４８が降ろされて、第１貯溜部１６内の水面に浮かべられる。大開口５３は、直径15cm以上あるため、人の手も無理なく入り、第１貯溜部１６内の清掃も容易である。
【００１６】
第１貯溜部１６の底部には、流出管５４が着脱可能に装着されている。この流出管５４は、第１貯溜部１６の底部から上方に伸ばされ、第１貯溜部１６の中程まで達する。そしてこの流出管５４と略同じ高さに、仕切板５５が配置されている。この仕切板５５は、流出管５４の上端に一体に形成されているため、清掃時には、流出管５４を引き抜くだけで、簡単に取り外しすることができる。また、第１貯溜部１６の底部からは給水管５６が伸ばされて、注水コック１８に接続されている。よって、第１貯溜部１６内の水は、流出管５４から流出して、次に述べる第２貯溜部１７に送られると共に、第１貯溜部１６内で冷却装置５１によって冷やされて、冷水として注水コック１８から注ぎ出される。
【００１７】
流出管５４は、連絡路５８を介して、第２貯溜部１７に接続されている。この第２貯溜部１７には加温装置５７が設けられ、水を温めることができる。この第２貯溜部１７の底部には、給水管５９が接続され、注水コック１８とつなげれらている。
従って、下部タンク１４からの水は、第１貯溜部１６から第２貯溜部１７に送られ、加温されて、注水コック１８から供給される。
【００１８】
なお、この実施の形態では、第１貯溜部１６と第２貯溜部１７とを直列に設けたため、第１貯溜部１６までの構造がシンプルになり、清掃も容易にできるメリットがあるが、第１貯溜部１６と第２貯溜部１７とをそれぞれ独立して並列に下部タンク１４に接続することもできる。
【符号の説明】
【００１９】
１１  ケーシング
１２  タンク
１３  上部タンク
１４  下部タンク
１５  貯溜部
１６  第１貯溜部
１７  第２貯溜部
１８  注水コック
１９  コップ受け
２１  蓋
２２  給水口
２３  底部
２４  フィルター
２５  排出口
２６  ナット
３１  天部
３２  蓋
３３  開口部
３４  濾過改質部
３５  筒部
３６  フランジ
３７  網部
３８  第１濾過改質部
３９  第２濾過改質部
４０  第３濾過改質部
４１  第４濾過改質部
４２  底部
４３  底部濾過改質部
４４  脚部
４５  流出口
４６  弁
４７  作動杆
５１  冷却装置
５２  天部
５３  大開口
５４  流出管
５５  仕切板
５６  給水管
５７  加温装置
５８  連絡路
５９  給水管
【図１】
0003174445.tif 000003
【図２】
0003174445.tif 000004
【図３】
0003174445.tif 000005